(57)【要約】【課題】  揺動選別盤で選別しようとする穀粒の種類は、同じ米粒であっても、ジャポニカ米とインデカ米とでは、形状、大きさ等が著しく異なる。又、これらの穀粒の揺動選別を行う揺動選別盤も、この選別盤面に形成される揺上凸部や、揺上凹部の広さや、深さ等の大きさ形状が選別対象物である穀粒の大きさや、形態等に適応したものであることを要す。【解決手段】  板金材をエンボス加工等の型押し成形して表面１には多数の小さな揺上凸部２を形成すると共に、裏面３には多数の小さな揺上凹部４を形成して、これら表面１を上側にし、又は裏面３を上側にするように裏返して、これらいずれかの表面２又は裏面３を選択設定して穀粒を供給して揺動選別可能の選別面とすることのできる両面選別盤５を形成する。【選択図】  図２
2013022493.tif 000002
【特許請求の範囲】
【請求項１】
板金材をエンボス加工等の型押し成形して表面（１）には多数の小さな凸部（２）を形成すると共に、裏面（３）には多数の小さな凹部（４）を形成して、これら表面（１）を上側にし、又は裏面（３）を上側にするように裏返して、これらいずれかの表面（２）又は裏面（３）を選択設定して穀粒を供給して揺動選別可能選別面とすることのできる両面選別盤（５）を形成し、この選別盤（５）を表面（１）と裏面（３）とに振替えて揺動選別機枠（６）に多段に組付け可能としたことを特徴とする揺動選別装置。
【請求項２】
選別盤（５）の表面（１）側の凸部（２）と裏面（３）側の凹部（４）は、同位相位置において、表面（１）側に突出して裏面（３）側に窪むように凹凸成形して、かつ、これら凹部（２）及び揺上部（４）の揺上方向の同一端側に穀粒を係止する係止縁（７）（８）を形成し、これと反対側に表面（１）、又は裏面（３）に亘って傾斜の傾斜面（９）（１０）を形成したことを特徴とする請求項１に記載の揺動選別装置。
【請求項３】
選別盤（５）を多段形態にして装着する揺動選別機枠（６）を、前側を開放部（１１）として、左右両側面部（１２）（１３）と後側（１４）により平面視コ字状の箱型形態として構成し、この左右両側面（１２）（１３）間に亘って各段毎の選別盤（５）の下面を支持するための連結桟（１５）の両端部を連結配置し、前側の開放部（１１）側から各連結桟（１５）上に選別盤（５）を差込んで載置し、各選別盤（５）の連結桟（１５）に対する支持部を連結具（２０）で固定することを特徴とする請求項１、又は２に記載の揺動選別装置。
【請求項４】
選別盤（５）は、左右両側縁部（１６）（１７）の前後端部を上面側、又は下面側へ直角状に適宜高さに形成されるサイドフランジ（２１）（２２）として、これらサイドフランジ（２１）（２２）の前後端部を揺動選別機枠（６）のフランジ穴（２３）（２４）に差込んで嵌合保持させることを特徴とする請求項１、２、又は３に記載の揺動選別装置。
【発明の詳細な説明】
【技術分野】
【０００１】
穀粒を揺動選別対象として使用する揺動選別装置に関する。
【背景技術】
【０００２】
選別盤面に凸部を形成した揺動選別盤や、又、凹部を形成した揺動選別盤の技術（例えば、特許文献１参照）が知られている。
【先行技術文献】
【特許文献】
【０００３】
【特許文献１】特許第４１２６８３９号公報
【発明の概要】
【発明が解決しようとする課題】
【０００４】
揺動選別盤で選別しようとする穀粒の種類は、同じ米粒であっても、ジャポニカ米とインデカ米とでは、形状、大きさ等が著しく異なる。又、同じく米粒であっても品種等によっても大きさが異なることがある。又、これらの穀粒の揺動選別を行う揺動選別盤も、この選別盤面に形成される凸部や、凹部の広さや、深さ等の大きさ形状が選別対象物である穀粒の大きさや、形態等に適応したものであることを要し、同じ形状の凹部、又は凸部を形成した選別盤を用いて、前記異なる種類の穀粒を的確に揺同選別することは難しい。
【０００５】
この発明は、同じ選別盤を用いて前記のような著しく異なる種類の穀粒を選別しうる形態として、揺動選別盤の汎用性を図り、生産コストを低減して、経済化を図るものである。
【課題を解決するための手段】
【０００６】
請求項１に記載の発明は、板金材をエンボス加工等の型押し成形して表面（１）には多数の小さな凸部（２）を形成すると共に、裏面（３）には多数の小さな凹部（４）を形成して、これら表面（１）を上側にし、又は裏面（３）を上側にするように裏返して、これらいずれかの表面（２）又は裏面（３）を選択設定して穀粒を供給して揺動選別可能選別面とすることのできる両面選別盤（５）を形成し、この選別盤（５）を表面（１）と裏面（3）とに振替えて揺動選別機枠（６）に多段に組付け可能としたことを特徴とする揺動選別装置の構成とする。
【０００７】
一定厚さの板金材をエンボス加工方法等によって型押成形して、選別盤５の表面１には多数の小さな凸部２が形成されると共に、この同位置の裏面３には前記凸部２と対向する部分が凹曲されて凹部４として形成される。このため、前記選別盤５は、凸部２の形成された表面１を上側に向けて選別機枠６に多段に組付けて揺動選別装置を構成すると、インデカ米等の長粒種が凸部２の適応した玄米揺動選別に適応させることができる。又、ジャポニカ米等の短粒種の穀粒を揺動選別するときは、前記同一選別盤５を一旦選別機枠６から取外して裏面３の凹部４を上側に向けて選別機枠６に着替えて、この凹部４の上側面側に穀粒を供給して揺動選別する。
【０００８】
このように同一形態の選別盤５であっても、この表面１と裏面３との両面に形押成型による凹凸面の形態に形成されるものであるから、この裏面３の凹部４に一粒、乃至数粒の穀粒が嵌合して揺動選別可能の形態であれば、表面１の揺動凸部２における穀粒の揺動選別の適応規制は少ないものであるから、表面１、及び裏面３の両面共に異なる種類の穀粒の選別に使用することができ、従って、これに応じて選別盤５の表面１、裏面３に振替えて選別機枠６に取付けることによって選別適応性を拡大することができる。
【０００９】
請求項２に記載の発明は、選別盤（５）の表面（１）側の凸部（２）と裏面（３）側の凹部（４）は、同位相位置において、表面（１）側に突出して裏面（３）側に窪むように凹凸成形して、かつ、これら凹部（２）及び揺上部（４）の揺上方向の同一端側に穀粒を係止する係止縁（７）（８）を形成し、これと反対側に表面（１）、又は裏面（３）に亘って傾斜の傾斜面（９）（１０）を形成したことを特徴とする請求項１に記載の揺動選別装置とする。
【００１０】
前記のように選別盤５は、表面１側の凸部２と裏面３側の凹部４が、同位相位置において形成されて、しかも、これら凸部２の係止縁７と凹部４の係止縁８が表、裏両面に相対向して形成され、かつ、凸部２や凹部４の係止縁７、８と反対側に形成される傾斜面９、１０相互が表、裏両面１、３に相対向して形成されるものであるから、エンボス加工方法等による型押成形によって、簡単、容易、正確に形成される。又、この選別盤５を表面１と裏面３とに振替えて選別機枠６に装着する場合は、前記揺動凸部２の係止縁７、及び傾斜面９と、揺動凹部４の係止縁８、及び傾斜面１０との関係位置が反対方向に形成されているから、揺動凹部２を上向きにして装着するときは、この選別盤５を選別機枠６に対して１８０度旋回させた状態で装着することによって、凹部４の係止縁８をこの選別盤５の揺上方向に向けて設置できる。
【００１１】
請求項３に記載の発明は、選別盤（５）を多段形態にして装着する揺動選別機枠（６）を、前側を開放部（１１）として、左右両側面部（１２）（１３）と後側（１４）により平面視コ字状の箱型形態として構成し、この左右両側面（１２）（１３）間に亘って各段毎の選別盤（５）の下面を支持するための連結桟（１５）の両端部を連結配置し、前側の開放部（１１）側から各連結桟（１５）上に選別盤（５）を差込んで載置し、各選別盤（５）の連結桟（１５）に対する支持部を連結具（２０）で固定することを特徴とする請求項１、又は２に記載の揺動選別装置とする。
【００１２】
前記選別盤５を多段形態に装着するための選別機枠６は、平面視で略コ字状の箱型形態とし、前側面に開放部１１を形成して、この左右両側面部１２、１３と後側面部１４を板材で形成している。左右両側面部１２、１３間に亘って適宜選別盤５の配置高さ間隔毎に連結桟１５を連結して、この各段の連結桟１５上面毎に、前記選別盤５を前側開放部１１から差込んで支持させることができる。各連結桟１５の上面に差込んだ選別盤５の左右両側縁部１６、１７と、後側縁部１８を選別機枠６の各対向する左右両側面部１２、１３、及び後側面部１４に接当させて、各選別盤５の下面は前記連結桟１５で支持される。この支持部をもボルト、ナット等からなる連結具２０で固定して、一段毎取付け構成して行く。このようにして各段に装着された選別盤５は、選別盤５の底面部が連結桟１５上面に支持して取付けられために、前記揺動選別機枠６と一体的揺動の多段揺動選別盤として、選別盤５毎に局部的な振動歪み等を生じ難く正確で安定した揺動選別作用を維持する。又、各段の選別盤５の開放部１１から出し入れ、乃至着脱、及び選別機枠６外周部からの連結具１９、２０による連結固定操作等を的確に簡単に行うことができる。
【００１３】
請求項４に記載の発明は、前記選別盤５は、左右両側縁部１６、１７の前、後端部を上面側、又は下面側へ直角状に適宜高さに形成されるサイドフランジ２１、２２として、前記選別盤５を開放部１１から奥側へ差し込むと共に、これらサイドフランジ２１、２２の前、後端部を揺動選別機枠６角支柱５７部のフランジ穴２３、２４に差込んで嵌合保持させる。
【００１４】
各選別盤５の左右両側縁部１６、１７の端部に形成のサイドフランジ２１、２２をこれら対向する選別機枠６のフランジ穴２３、２４に差込んで取付嵌合保持させる。又、選別盤５を取外すときは、逆にこのサイドフランジ２１、２２部をフランジ穴２３、２４から外すものである。
【発明の効果】
【００１５】
請求項１に記載の発明は、同一選別盤５を表面１の凸部２を上側面にして選別機枠６に取付けることによってインデカ米の揺動選別作用を行い、又、裏面３の凹部４を上側面に振替えて選別機枠６に取付けてジャポニカ米の揺動選別作用を行うように、同一選別盤５を表面１と裏面３とに単に振替えて使用するため、異種形態に応じた穀粒の選別を好適に行うことができ、構成が簡単であり、揺動選別装置として主要構成部分である選別盤５の共用化により経済的に構成することができ、操作も容易である。
【００１６】
請求項２に記載の発明は、選別盤５の表面１の凸部２部と、裏面３の凹部４を、同位相位置の表裏両面において、正逆に凸曲凹曲させるように型押加工方法等によって形成するものであり、しかも、各揺上係止部としての係止縁７、８や、揺同による穀粒の摺動案内を行わせる傾斜面９、１０等が同位相位置において表面１と、裏面３との対向位置に形成されるものであるから、これらの成形を薄く広い板金材で簡単、容易に、しかも正確に形成することができ、選別機枠６に表面１と裏面３とを振替えて、しかもこの選別盤５の向きを正、逆方向向けるように選択して装着することによって簡単に着替えて使用することができ、選別盤５の選別両域を広くして使用でき、共用化することができる。
【００１７】
請求項３に記載の発明は、前記選別盤５を多段に装着し、しかも表面１と裏面３を振替えて装着することのある選別機枠６が、前側を開放部１１とした平面視コ字状の箱型値形態とするものであるから、各選別盤５の開放部１１からの出し入れが行い易く、又、各選別盤５の下面を支持する連結桟１５に対する支持部を連結具２０で直接固定するため、選別盤５が揺動によって局部的に振動を起したり歪みを生ずるようなことは少く、安定した揺動選別作用を行わせることができる。又、各段の選別盤５毎の連結具２０による連結固定操作を、盤面の上側から行って、着脱操作を行い易くするものである。
【００１８】
請求項４に記載の発明は、選別盤５は、左右両側縁部１６、１７を選別木枠６の側面部１２、１３の内側に沿わせるようにして、開放部１１から奥側へ差し込んで、この端部のサイドフランジ２３、２４部を選別機枠６奥端部の支柱５７部のフランジ穴２３、２４に差込んで取付保持させるものであるから、選別盤５の剛性を高めると共に、簡潔的な構成として、選別機枠６に対する取付固定状態、及び揺動選別作用を安定させることができる。又、選別盤の着脱操作を簡単容易に行うことができる。
【図面の簡単な説明】
【００１９】
【図１】籾摺選別機の正面図。
【図２】選別盤の平面図。
【図３】選別盤の底面部。
【図４】選別盤のＡ−Ａ線断面図。
【図５】選別盤のＢ−Ｂ線断面図。
【図６】選別盤のＢ−Ｂ線断面図。
【図７】選別盤の揺動選別作用を示す斜視図と、その一部の拡大側面図。
【図８】選別機枠部の斜視図。
【図９】選別盤の取付け形態を示す斜視図と、その一部の側面図。
【図１０】選別盤の実施例を示す表面部と、裏面部の斜視図。
【図１１】選別盤の実施例を示す表面部と、裏面部の斜視図。
【図１２】選別盤の取付け状態を示す正面図。
【発明を実施するための形態】
【００２０】
図面に基づいて、籾摺選別機の選別装置として多段選別盤５からなる揺動選別装置２５を構成する形態で、籾摺ロール２６からなる籾摺装置２７の左右方向一側に配置し、この籾摺装置２７で摺出された摺出米を選別風路２８で風選させて、摺出米を受けるオーガ２９から昇降機３０を経て、揺動選別装置２５上の供給ホッパ３１へ搬送し、この供給ホッパ３１から供給される摺出米を供給シュート３２の供給口３３から各段の選別盤５上へ供給して、揺動選別を行うものである。この籾摺装置２７は、上部に籾米を籾摺ロール２６間に供給する籾ホッパ３４を設け、前記選別風路２８は側方の吸引排塵機３５の駆動によって起風され選別風を、前記揺動選別装置２５底部の籾選別口３６や、混合米選別口３７等から吸引して、前記選別風路２８を通して、排塵筒３８から機外へ排風する形態である。
【００２１】
又、前記揺動選別装置２５の側方には玄米昇降機３９を設け、玄米選別口４０から排出される玄米を玄米口４１へ取出すことができる。この玄米昇降機３９の上部には風選棚４２が形成されて、前記吸引排塵機３５に吸引される一連の吸引筒４３、４４を、この吸引口４５に連結させて、玄米を風選する形態としている。前記選別風路２８には二番物を受けて取出すオーガ４７を設けている。前記揺動選別装置２５の混合米選別口３７に取出された混合米は、オーガ２９で受けられて昇降機３０へ搬送され、籾選別口３６に取出された籾米は、籾揚穀機４６を経て籾ホッパ３４へ還元される。
【００２２】
ここにおいて、板金材をエンボス加工等の型押し成形して表面１には多数の小さな凸部２を形成すると共に、裏面３には多数の小さな凹部４を形成して、これら表面１を上側にし、又は裏面３を上側にするように裏返して、これらいずれかの表面２又は裏面３を選択設定して穀粒を供給して揺動選別可能の選別面とすることのできる両面選別盤５を形成し、この選別盤５を表面１と裏面３とに振替えて選別機枠６に多段に組付けて、これら裏面１、裏面３で異種類の穀粒を揺動選別する揺動選別装置の構成とする。
【００２３】
一定厚さの板金材をエンボス加工方法等によって型押成形して、選別盤５の表面１には多数の小さな凸部２が形成されると共に、この同位置の裏面３には前記凸部２と対向する部分が凹曲されて凹部４として形成される。このため、前記選別盤５は、凸部２の形成された表面１を上側に向けて選別機枠６に多段に組付けて揺動選別装置を構成すると、ジャポニカ米等の揺動凸部２の適応した玄米揺動選別に適応させることができる。又、インデカ米等の穀粒を揺動選別するときは、前記同一選別盤５を一旦選別機枠６から取外して裏面３の凹部４を上側に向けて選別機枠６に着替えて、この凹部４の上側面側に穀粒を供給して揺動選別する。
【００２４】
このように同一形態の選別盤５であっても、この表面１と裏面３との両面に形押成型による凹凸面が齟齬、乃至正逆の形態に形成されるものであるから、この裏面３の凹部４に一粒、乃至数粒の穀粒が嵌合して揺動選別可能の形態であれば、表面１の揺動凸部２における穀粒の揺動選別の適応規制は少ないものであるから、表面１、及び裏面３の両面共に異なる種類の穀粒の選別に使用することができ、従って、これに応じて選別盤５の表面１、裏面３に振替えて選別機枠６に取付けることによって選別適応性を拡大することができる。
【００２５】
又、前記選別盤５の表面１側の凸部２と裏面３側の凹部４は、同位相位置において、表面１側に突出して裏面３側に窪むように齟齬させて凹凸成形して、かつ、これら凹部２及び揺上部４の揺上方向の同一端側に穀粒を係止する係止縁７、８を形成し、これと反対側に表面１、又は裏面３に亘って傾斜の傾斜面９、１０を形成する。
【００２６】
前記のように選別盤５は、表面１側の凸部２と裏面３側の凹部４が、同位相位置において形成されて、しかも、これら凸部２の係止縁７と凹部４の係止縁８が表、裏両面に相対向して形成され、かつ、凸部２や凹部４の係止縁７、８と反対側に形成される傾斜面９、１０相互が表、裏両面１、３に相対向して形成されるものであるから、エンボス加工方法等による型押成形によって、簡単、容易、正確に形成される。
【００２７】
又、この選別盤５を表面１と裏面３とに振替えて選別機枠６に装着する場合は、前記揺動凸部２の係止縁７、及び傾斜面９と、揺動凹部４の係止縁８、及び傾斜面１０との関係位置が反対方向に形成されているから、揺動凹部２を上向きにして装着するときは、この選別盤５を選別機枠６に対して１８０度旋回させた状態で装着することによって、凹部４の係止縁８をこの選別盤５の揺上方向に向けて設置できる。
【００２８】
又、前記選別盤５を多段形態にして装着する揺動選別機枠６を、前側面部を開放部１１として、左右両側面部１２、１３と後側面部１４により平面視コ字状の箱型形態として構成し、この左右両側面１２、１３間に亘って各段毎の選別盤５の下面を支持するための連結桟１５の両端部を連結配置し、前記前側の開放部１１側から各連結桟１５上に選別盤５を差込んで載置し、各選別盤５の連結桟１５に対する支持部を連結具２０で固定する。
【００２９】
前記選別盤５を多段形態に装着するための選別機枠６は、平面視で略コ字状の箱型形態とし、前側面に開放部１１を形成して、この左右両側面部１２、１３と後側面部１４を板材で形成している。左右両側面部１２、１３間に亘って適宜選別盤５の配置高さ間隔毎に連結桟１５を連結して、この各段の連結桟１５上面毎に、前記選別盤５を前側開放部１１から差込んで支持させることができる。各連結桟１５の上面に差込んだ選別盤５の左右両側縁部１６、１７と、後側縁部１８を選別機枠６の各対向する左右両側面部１２、１３、及び後側面部１４に接当させて、各選別盤５の下面は前記連結桟１５で支持される。この支持部をもボルト、ナット等からなる連結具２０で固定して、一段毎取付け構成して行く。このようにして各段に装着された選別盤５は、選別盤５の底面部が連結桟１５上面に支持して取付けらるために、前記揺動選別機枠６と一体的揺動の多段揺動選別盤として、選別盤５毎に局部的な振動歪み等を生じ難く正確で安定した揺動選別作用を維持する。又、各段の選別盤５の開放部１１から出し入れ、乃至着脱、及び選別機枠６外周部からの連結具１９、２０による連結固定操作等を的確に簡単に行うことができる。
【００３０】
更には、前記選別盤５は、左右両側縁部１６、１７の左右両側部を上面側、又は下面側へ直角状に適宜高さに形成されるサイドフランジ２１、２２として、前記選別盤５を開放部１１から奥側へ差し込むと共に、これらサイドフランジ２１、２２の前、後端部を揺動選別機枠６角支柱５７部のフランジ穴２３、２４に差込んで嵌合保持させる。
【００３１】
各選別盤５の左右両側縁部１６、１７の端部に形成のサイドフランジ２１、２２をこれら対向する選別機枠６のフランジ穴２３、２４に差込んで取付嵌合保持させる。又、選別盤５を取外すときは、逆にこのサイドフランジ２１、２２部をフランジ穴２３、２４から外すものである。
【００３２】
前記揺動選別装置２５の各選別盤５は、籾摺機体４８に対して三次元的に傾斜させて、前後上下方向Ｙに往復揺動される。各選別盤５の前縁部５０を、選別機枠６の開放部１１に位置させて、後側縁部１８を高くした傾斜面に設定し、しかも、この前縁部５０は、籾選別口３６側を低くし、玄米選別口４０側を高く設定している。選別盤５の凸部２、又は凹部４の係止縁７、８を、前記揺動方向Ｙの上側に向けて装着している。従って、図７のように、選別盤５上面に供給された摺出米は、この選別盤５の揺動Ｙによって、表面１選別の場合は、凸部２の係止縁７によって揺上げられ、裏面３選別の場合は凹部４の係止縁８によって揺上げられて、比重の大きい玄米が傾斜面の上手側へ移動（イ）され、比重の軽い籾米がこの玄米層上面の傾斜面に沿って流下（ロ）されて、選別盤５傾斜の低い側の籾米Ｍと、高い側の玄米Ｇとに選別される。又、これらの間の中間部に両者の混入した混合米ＭＧが選別される。前記開放部１１には、各選別盤５の前縁部５０の選別域を仕切る仕切板５１、５２を移動調節可能に設けている。
【００３３】
前記選別盤５は、適宜厚さの板金材を、エンボス加工法等によって成型するもので、表面１側に凸部２を一定の間隔に形成している。平面Ｕ次状の台形形態に突出形成される凸部２は、選別盤５の左右横方向に並列して形成され、この凸部の頂端に起立つ係止縁７を横方向に向けて形成し、各前後に並列の凸部２は千鳥状に配置形成される。この凸部２の係止縁７とは反対側には緩傾斜の傾斜面９が形成される。このような表面１側の凸部２とは反対側の、裏面３側の凹部４は、短粒種のジャポニカ米を嵌合させて揺動選別する好敵の窪み容積に形成し、前記表面１側の係止縁７に対向してこの凹部４の係止縁８を形成する。又この係止縁８とは反対側には、この底面から裏面３に亘って緩傾斜の傾斜面１０が前記表面１側の傾斜面９と平行形態として形成される。
【００３４】
前記選別盤５が図８のように平板形態である場合は、前記選別機枠６の左右側面部１２、１３間に亘って設けた各段の連結桟１５の上面に選別盤５を載せて、この選別盤５のピン穴５３と、連結桟１５のピン穴５４とにわたって連結具２０を通して締付連結する。又、この選別盤５を裏返して取付ける場合も同様である。    又、このとき、連結具２０のボルト頭部５５が、選別盤５の表面１上面に適宜高さに突出する（図９）ことがあるが、これを選別穀粒層の層厚を計測するためのゲージとすることができる。
【００３５】
前記選別盤５を、左右両側端に沿って側縁部１６、１７を形成する形態（図１０）や、この一側の側縁部１６を表面１に向けて形成し、他方の側縁部１７を裏面３に向けて形成する形態（図１１）等がある。このような側縁部１６、１７を形成する形態では、一部を切欠いで穀粒を供給するための供給口３３に合わせることができる。
【００３６】
このような側縁部１６、１７を形成した選別盤５を選別機枠６に取付けるとき、選別機枠６の奥側の角支柱５７（角チューブ材から構成）に、縦長いフランシ穴２３を形成しておき、このフランジ穴２３に前記側縁部１６、１７の先端部のサイドフランジ２１、２２を嵌合させて、選別盤５を組み付ける。又、このフランジ２３の内側中央部には選別盤５の嵌合する横穴５６が形成されている。
【符号の説明】
【００３７】
１    表面
２    凸部
３    裏面
４    凹部
５    選別盤
６    選別機枠
７    係止縁
８    係止縁
９    傾斜面
１０    傾斜面
１１    開放部
１２    側面部
１３    側面部
１４    後側面部
１５    連結桟
１６    側縁部
１７    側縁部
１８    後側縁部
１９    連結具
２０    連結具
２１    サイドフランジ
２２    サイドフランジ
２３    フランジ穴
２４    フランジ穴
２８    揺動選別装置
５７    角支柱
【図１】
2013022493.tif 000003
【図２】
2013022493.tif 000004
【図３】
2013022493.tif 000005
【図４】
2013022493.tif 000006
【図５】
2013022493.tif 000007
【図６】
2013022493.tif 000008
【図７】
2013022493.tif 000009
【図８】
2013022493.tif 000010
【図９】
2013022493.tif 000011
【図１０】
2013022493.tif 000012
【図１１】
2013022493.tif 000013
【図１２】
2013022493.tif 000014